(57)【要約】【課題】携帯電話端末を模した石造の置物を、墓石の近傍へ配置することによって、故人との変わらぬ心のつながりを象徴し、墓参をする者へ、心理的な充足感を与える。【解決手段】板状に加工した石材の表面へ、携帯電話端末の操作盤を模した模様を刻んだ置物を、墓石の近傍に設置する。石造の端末は、充電器を模した石造のホルダーによって支持される。ホルダーで支持されたイミテーション携帯電話端末は、周辺を石造のアーチによって保護される。【選択図】図１
0003167479.tif 000002
【実用新案登録請求の範囲】
【請求項１】
板状に加工した石材において、
各稜に面取りを施し、
板面の片側に携帯電話の操作盤に似せた模様を刻んだことを特徴とする、石造の置物。
【請求項２】
座面と背面とが鈍角をなすように椅子形に加工した石材の、
上記座面の背面寄りの部分に、くぼみを設けることにより、
上記板面の片側の、反対側の面を上記背面および上記くぼみによって支持し、請求項１の石造の置物を安置することを特徴とする、石造の置物。
【請求項３】
請求項２にかかる石造の置物を、上記板面の両脇から頂部にかけて被覆する、アーチ状の石材を配したことを特徴とする、石造の置物。
【請求項４】
請求項３にかかる石造の置物を載置する、台状の石材を配したことを特徴とする、石造の置物。
【請求項５】
前記石材は、花崗岩、安山岩、斑糲岩、凝灰岩、閃緑岩及び石灰岩の群から選ばれる１または２以上の材料からなることを特徴とする、請求項１から４のいずれか１項にかかる石造の置物。
【考案の詳細な説明】
【技術分野】
【０００１】
本考案は、墓石に付属させて設置する置物に関するもので、とくに携帯電話の形状をした部材を含む、石造の置物に関するものである。
【背景技術】
【０００２】
近年は、携帯電話が、故人をしのぶよすがとなることも多い。親しい人の死亡した後にも、ことばをかわしたいと思うのは、普遍的な感情であると考えられる。このため、墓碑や位牌を携帯電話の形状とする例は、すでに存在する。
【先行技術文献】
【特許文献】
【０００３】
【特許文献１】特開２００７−１０９００６号公報
【考案の概要】
【考案が解決しようとする課題】
【０００４】
特許文献１にかかる発明は、墓碑または位牌そのものを、携帯電話としてしまうものである。ディスプレイ部が開閉可能であって、ディスプレイ部を開けば、折りたたみ式携帯電話と同等の機能を果たし、ディスプレイ部を閉じれば、携帯用の墓碑または位牌として使用できる。この携帯用の墓碑または位牌は、組込みソフトウェアを搭載し、故人の肉声や、読経または法話の再生をおこなうとともに、ディスプレイ画面上へ、故人の写真やプロフィールが表示される。
【０００５】
このように、特許文献１に記載された発明は、墓碑または位牌を携帯するかぎり、いつでもどこでも故人へお参りができることを特徴とするものである。しかしながら、この発明ありとしても、じっさいに墓地へ赴き、静謐な環境のなかで墓石に相対して、故人をしのびたいという想いは、けっして失われることがない。したがって、墓地の静謐な雰囲気を損なうことなく、故人との心の交流を補助する道具が求められるはずである。この道具は、一般的な墓との調和を乱さぬように、石造のものとすることが望ましい。
【０００６】
携帯電話端末は、普及しているとはいえ、墓参をする人が、つねに携帯しているとはかぎらない。また、公園墓地などでは、着信音や、通話などの音声が、他の墓参人へ迷惑を与えることも考えられる。故人との心の交流は、物理的な音波によっておこなう必要はなく、墓参をする人へ、故人と対話をしているという、心理的な充足感を与えることによっても、成立することに注意をしなくてはならない。
【０００７】
本考案は、電気通信システムを援用しなくても、墓参をする人へ、あたかも故人と、ことばをかわしているかのような、心理的充足感を与えることのできる、石造の墓石アクセサリーである。
【課題を解決するための手段】
【０００８】
本考案は、石材による、携帯電話端末のイミテーションを基本部材とするもので、墓石の近傍に設置するための石造の置物を提供する。このイミテーション携帯電話端末は、板状に加工した石材の片面に、携帯電話端末の操作盤に似せた模様が刻まれている。大きさは、恒久的な置物であるという性質上、実際の携帯電話端末よりは大きくすることが望ましいが、子供でも手にとって支持できるほどには小さいことが望まれる。もとより、石造のイミテーションであるから、電気通信機能は備えず、また、録音再生装置も内蔵されない。しかし、故人の墓のそばに、実生活の名残りのように添えられた携帯電話端末の形をした置物は、宗教感情を害さぬていどの、ささやかなユーモアを感じさせるし、墓参をする人が、これを手に取れば、故人との、ことばの交流ができそうな、心の充足感をおぼえることもできる。
【０００９】
イミテーション携帯電話端末そのものは、板状に加工された小ぶりの石材にすぎず、そのままでは固定することができないので、携帯電話端末の充電器に似せた、椅子形のホルダーを用意する。この椅子形ホルダーは、イミテーション携帯電話端末を、立てかけるようにして載置する。イミテーション携帯電話端末は、自由に手にとることができるが、椅子形ホルダーは、墓石の周辺の、特定の箇所に固定する。このため、イミテーション携帯電話端末を、一定の場所へ収納することができ、管理が容易となる。
【００１０】
イミテーション携帯電話機は、屋外に設置されるものであるから、そのままでは、表面に刻まれた操作盤の模様が風雪によって損なわれやすい。しかも、小ぶりの石材であるため、盗難にもあいやすく、また紛失もしやすい。本考案にかかるイミテーション携帯電話端末は、その椅子形ホルダーの両脇に立脚する、石材のアーチによって、側面と上部をおおわれる。このため、操作盤の模様の風化を、あるていど緩和することができるし、アーチがイミテーション携帯電話端末を保護しているようにも見えるので、盗取に対する抑止力を働かせることができる。
【００１１】
また、椅子形ホルダーとアーチには、石材の台座を設けることができる。この台座によれば、椅子形ホルダーとアーチの相対位置を、一定に保つことができるし、置物全体の高級感を増すことができる。
【００１２】
本考案にかかる石造の置物は、墓石に付属させて用いる。イミテーション携帯電話端末の操作盤が、ディスプレイ効果を発揮するので、墓参をする人の目に留まりやすい場所に設置する必要がある。ただし、あくまでもアクセサリーであるから、墓石の右翼または左翼へ、控えめに設けることが望ましい。
【考案の効果】
【００１３】
以上、説明したように、本考案にかかる、墓石に付属する石造の置物によれば、墓参をする人は、すでに冥界にある故人と、イミテーション携帯電話端末によって、心の交流をすることができる。かわすことばは、録音物や、録画物に束縛されず、まったくの自由である。
【００１４】
本考案は、墓地周辺の自然環境と調和した、素朴な宗教心を育むのに好適である。とくに、いまだ死生観の確立していない、年少の児童にとっては、型にはまらぬ、自由な発想で、故人と心を通わせる手段となるので、情操教育の道具として使用することもできる。
【００１５】
また、本考案は、墓地にとっては稀有な、諧謔を提供する手段としても使用できる。諧謔といっても、決して故人や墓参に訪れる人を、からかうものではない。社会通念上、許容される範囲の、遊び心である。イミテーション携帯電話端末があることで、故人へ、心のうちを声にして語りかけることもできるであろう。通りすがりの者も、この石造の置物の、ほほえましさを目にとめて、墓守の家族の暖かい心情を感じとるにちがいない。
【００１６】
さらに、本考案は、墓石販売の際の、プレミアムとして使用することができる。墓石の形状について、法的な規制があるわけではないが、物品の性質上、どうしてもステレオタイプになりがちである。石材の選択や装飾の付加などによって高級感を増すことはできるけれども、場合によっては、いちじるしく高価となり、しかも伝統を逸脱しにくい。したがって、購買者が、おもしろいと感じ、かつ墓石とならべても奇異でない置物は、既存タイプの墓石に高い付加価値を与えるものである。
【図面の簡単な説明】
【００１７】
【図１】本考案にかかる、墓石に付属する石造の置物の、基本的形態を示す斜視図である。
【図２】本考案にかかる、墓石に付属する石造の置物の、基本的形態を示す正面図および右側面図である。
【図３】本考案にかかる、墓石に付属する石造の置物に、台座を設けた実施形態を示す斜視図である。
【図４】本考案にかかる、墓石に付属する石造の置物に、台座を設けた実施形態を示す正面図および右側面図である。
【考案を実施するための形態】
【００１８】
以下、添付図面を参照しながら、本考案にかかる、墓石に付属する石造の置物を実施するための最良形態を詳細に説明する。図１〜図４は、本考案の実施の形態を例示する図であり、これらの図において、同一の符号を付した部分は同一物を表わし、基本的な構成および機能は同じであるものとする。
【００１９】
図１および図２に示すのは、本考案にかかる、墓石に付属する石造の置物の、基本的な実施形態である。この石造の置物は、携帯電話端末を模した板状部材１、その板状部材１を支持する椅子形部材２、椅子形部材２に支持された板状部材１を側面から上方へ向かって被覆するアーチ状部材３から構成される。また、椅子形部材２、およびアーチ状部材３を載置する台座４を設けることもできる。
【００２０】
本考案にかかる石造の置物は、墓石に付属するものであるから、墓石の本体と調和するように構成しなければならない。しかし、本考案にかかる石造の置物は、墓参をする人の目を引かなくては意味がないので、墓石の本体とは、やや異なる石材を用いて作成するのが望ましい。石材としては、一般的に墓石の素材として広く用いられている下記の石材を用いることができる。但し、石材はこれらに限定されるものではない。
・花崗岩（俗に言う御影石等）
・安山岩（俗に言う小松石、山崎石、男鹿石等）
・斑糲岩（俗に言う浮金石等）
・凝灰岩（俗に言う笏谷石等）
・閃緑岩（俗に言う黒御影石等）
・石灰岩（俗に言う大理石等）
【００２１】
板状部材１は、携帯電話端末の形状に切り出した、板状の石材である。石材を切り出して、携帯電話端末の形状を作りあげるため、端末のタイプは、ストレート型、またはスマートフォンとするのが望ましい。板状部材１は、人の手に触れることが多いため、各稜には、面取りを施す。これによって、板状部材１の、かどが破損したり、手に取って、けがをしたりすることがなくなる。板状部材１の、表 (おもて) 面には、各タイプの携帯電話端末の、操作盤に似せた模様が刻まれる。刻まれた部分には、任意に着色を施すことにより、ディスプレイ効果を高めることもできる。
【００２２】
椅子形部材２は、携帯電話端末を模した板状部材１の、ホルダーとなる石材である。椅子形部材２の、座面にあたる部分と、背面にあたる部分は、鈍角をなして接合し、この座面には、接合の近傍に、くぼみが設けられている。板状部材１は、背面と、このくぼみとによって、支持され、安定するので、これを、板状部材１が椅子形部材２に安置された状態であるという。
【００２３】
アーチ状部材３は、板状部材１、および椅子形部材２を保護する、屋根の役割をはたす石材である。アーチ状部材３は、板状部材１を安置する椅子形部材２の両脇から、板状部材１の頂部までを、弧を描きつつ被覆する。図２に示すとおり、アーチ状部材３は、椅子形部材２に安置された状態の、板状部材１の側面を、完全に遮蔽して保護することが望ましい。なお、図２の側面図では、便宜上、アーチ状部材３の側面を透視して、板状部材１および椅子形部材２の設置状況を表わしている。このアーチ状部材３は、板状部材１の表面に刻まれた、携帯電話端末の操作盤の模様が風化するのを抑止できるし、固定されていない板状部材１の、あるべき場所を結界することによって、使用者に丁重なあつかいを促す効果を発揮できる。
【００２４】
台座４は、板状部材１を安置する椅子形部材２、およびアーチ状部材３を載置する台の役割をはたす。図３に示すように、アーチ状部材３は、台座４へ嵌合させて設置することが望ましい。また、椅子形部材２は、アーチ状部材３と同様に、台座４へ嵌合させて設置してもよいし、台座４と一体に、加工および形成してもかまわない。本考案にかかる、墓石に付属する石造の置物は、この台座４なしとしても、充分にその効果を示すものであるが、台座４を付加することによって、高級感が加わり、看者に強く美観をうったえることが可能となる。
【００２５】
以上、記したように、本考案にかかる、墓石に付属する石造の置物は、おもに墓石の近傍に設置して観賞し、使用することを想定するが、このサイズを適宜に調整すれば、自宅の仏壇に常備することもできる。本考案にかかる置物が、墓石の近傍のみならず、仏壇にも置かれているならば、遺族は、室内のイミテーション携帯電話端末を手に取ることにより、自由に故人との心の交流をすることができるであろう。
【００２６】
なお、本考案にかかる、墓石に付属する石造の置物は、もっぱら携帯電話端末を模したものであるが、モデルとする通信機器は、これにかぎる必要はない。ダイヤル式やプッシュ式の固定電話であってもよいし、トランシーバー、インターフォン、ファクシミリ、伝声管などでもかまわない。
【産業上の利用可能性】
【００２７】
本考案にかかる、墓石に付属する石造の置物は、墓石を加工し、販売する石材業におけるプレミアム商品として使用できるし、墓石の標準的な付属品としてあつかうことも可能である。また、寺院や仏閣の墓所、または霊園墓地などにおいては、統一的に配置することにより、斬新にして、かつ敬虔さを損なわれない、独特の雰囲気をかもし出すことができる。
【符号の説明】
【００２８】
１  板状部材
２  椅子形部材
３  アーチ状部材
４  台座
【図１】
0003167479.tif 000003
【図２】
0003167479.tif 000004
【図３】
0003167479.tif 000005
【図４】
0003167479.tif 000006